(57)【要約】【課題】品物の傷、破損等を防止しながら複数の品物を効率よく輸送することを可能とする箱を提供する。【解決手段】箱は、箱本体１０と、箱本体１０内に配置され、上下方向に並ぶ複数の仕切り部材２０と、を備え、仕切り部材２０は、その厚さ方向両側を形成する一対のシート部材と、一対のシート部材の間に配置されたコア部材と、を有し、各仕切り部材２０の長手方向の両端側の各々には、仕切り部材２０をその厚さ方向の一方に屈曲させる第１の折り曲げ部２１と、第１の折り曲げ部２１よりも仕切り部材２０の前記長手方向の端に近い位置に配置され、仕切り部材２０を前記厚さ方向の他方に屈曲させる第２の折り曲げ部２２と、が設けられており、第２の折り曲げ部２２では、一対のシート部材の一方およびコア部材が切断されている。【選択図】図１
0003226135.tif 000002
【実用新案登録請求の範囲】
【請求項１】
箱本体と、
前記箱本体内に配置され、上下方向に並ぶ複数の仕切り部材と、を備え、
各前記仕切り部材は、その厚さ方向両側を形成する一対のシート部材と、前記一対のシート部材の間に配置されたコア部材と、を有し、
各前記仕切り部材の長手方向の両端側の各々には、当該仕切り部材をその厚さ方向の一方に屈曲させる第１の折り曲げ部と、前記第１の折り曲げ部よりも前記長手方向の外側に配置され、当該仕切り部材を前記厚さ方向の他方に屈曲させる第２の折り曲げ部と、が設けられており、
前記第２の折り曲げ部では、前記一対のシート部材の一方および前記コア部材が切断されている
箱。
【請求項２】
前記第１の折り曲げ部には、前記長手方向と直交する方向に延びる折り曲げ用の凹部が形成されている
請求項１に記載の箱。
【請求項３】
最も下の前記仕切り部材の折り曲げられた前記第２の折り曲げ部又は当該第２の折り曲げ部よりも前記長手方向の外側に存在する前記仕切り部材の端部の上には、下から２番目の前記仕切り部材の折り曲げられた前記第２の折り曲げ部又は当該第２の折り曲げ部よりも前記長手方向の外側に存在する下から２番目の前記仕切り部材の端部が載置されている
請求項１又は２に記載の箱。
【請求項４】
前記下から２番目の前記仕切り部材の折り曲げられた前記第２の折り曲げ部又は当該第２の折り曲げ部よりも前記長手方向の外側に存在する下から２番目の前記仕切り部材の端部の上には、下から３番目の前記仕切り部材の折り曲げられた前記第２の折り曲げ部又は当該第２の折り曲げ部よりも前記長手方向の外側に存在する下から３番目の前記仕切り部材の端部が載置されている
請求項３に記載の箱。
【請求項５】
前記コア部材は、波形状を有する部材であり、前記波形状の頂部は前記長手方向に延びている
請求項１〜４の何れかに記載の箱。
【請求項６】
各前記仕切り部材における２つの前記第１の折り曲げ部の間に品物が固定される平板部が設けられ、
前記長手方向と直交する方向を幅方向とした時、前記平板部における前記幅方向の両端には、前記幅方向に窪んでいる凹部が形成されている
請求項１〜５の何れかに記載の箱。
【請求項７】
前記平板部には、固定用フィルムを用いて前記品物が固定される
請求項６に記載の箱。
【請求項８】
前記長手方向において、前記凹部は前記平板部の５０％以上の範囲に設けられている
請求項６又は７に記載の箱。
【請求項９】
前記平板部における前記凹部に対応する部分には、Ｕ字形状、Ｖ字形状、略Ｕ字形状、又は略Ｖ字形状の切り欠きが設けられている
請求項６〜８の何れかに記載の箱。
【請求項１０】
前記平板部における前記凹部に対応する部分には、Ｕ字形状、Ｖ字形状、略Ｕ字形状、又は略Ｖ字形状の複数の切り欠きが設けられている
請求項６〜８の何れかに記載の箱。
【請求項１１】
前記平板部における前記切り欠きに対応した位置にスリットが設けられている
請求項９又は１０に記載の箱。
【請求項１２】
前記第１の折り曲げ部および前記第２の折り曲げ部を折り曲げない状態で、前記長手方向において、前記第１の折り曲げ部と前記第２の折り曲げ部との距離よりも前記第２の折り曲げ部と前記端部との距離の方が長い
請求項３又は４に記載の箱。
【請求項１３】
前記箱本体内に２以上の前記仕切り部材が一列に並ぶように挿入される
請求項１〜１２の何れかに記載の箱。
【請求項１４】
前記箱本体内に３以上の前記仕切り部材が一列に並ぶように挿入される
請求項１〜１２の何れかに記載の箱。
【請求項１５】
前記仕切り部材は段ボールから成る
請求項１〜１４の何れかに記載の箱。
【請求項１６】
各前記仕切り部材が前記箱本体内に挿入された状態で、前記平板部と前記第２の折り曲げ部との距離は、前記平板部と前記端部との距離よりも大きい
請求項３又は４に記載の箱。
【考案の詳細な説明】
【技術分野】
【０００１】
本考案は、仕切り部材を有する箱に関する。
【背景技術】
【０００２】
この種の箱として、箱本体の中に製品、部品等の品物を固定するための固定部材が配置され、固定部材に固定用フィルムを用いて品物が固定されたものが知られている（例えば特許文献１参照）。
【先行技術文献】
【特許文献】
【０００３】
【特許文献１】特開２０１９−０２６３５７号公報
【考案の概要】
【考案が解決しようとする課題】
【０００４】
前記箱は、箱本体内に１つの固定部材が配置される。このため、複数の品物を発送する時には複数の品物を１つの固定部材に固定する必要がある。または、複数の品物を発送する時に複数の箱本体を用いる必要がある。複数の品物を１つの固定部材に固定すると、品物同士が接触して品物に傷、破損等が生ずるおそれがある。一方、箱本体の数が増えると輸送効率が低下する。
【０００５】
本考案は、このような事情に鑑みてなされたものであって、品物の傷、破損等を防止しながら複数の品物を効率よく輸送することを可能とする箱を提供することを目的とする。
【課題を解決するための手段】
【０００６】
本考案の第１の態様に係る箱は、箱本体と、前記箱本体内に配置され、上下方向に並ぶ複数の仕切り部材と、を備え、各前記仕切り部材は、その厚さ方向両側を形成する一対のシート部材と、前記一対のシート部材の間に配置されたコア部材と、を有し、各前記仕切り部材の長手方向の両端側の各々には、当該仕切り部材をその厚さ方向の一方に屈曲させる第１の折り曲げ部と、前記第１の折り曲げ部よりも前記長手方向の外側に配置され、当該仕切り部材を前記厚さ方向の他方に屈曲させる第２の折り曲げ部と、が設けられており、前記第２の折り曲げ部では、前記一対のシート部材の一方および前記コア部材が切断されている。
【考案の効果】
【０００７】
本考案の箱によれば、品物の傷、破損等を防止しながら複数の品物を効率よく輸送することが可能となる。
【図面の簡単な説明】
【０００８】
【図１】本考案の一実施形態に係る箱の一部断面図である。
【図２】本実施形態に係る箱の一部断面図である。
【図３】本実施形態に係る箱の仕切り部材の斜視図である。
【図４】本実施形態に係る箱の仕切り部材の平面図である。
【図５】本実施形態に係る箱の仕切り部材の正面図である。
【図６】本実施形態に係る箱の仕切り部材の動作説明図である。
【図７】本実施形態に係る箱の仕切り部材の動作説明図である。
【図８】本実施形態に係る箱の変形例の仕切り部材の正面図である。
【図９】本実施形態に係る箱の仕切り部材の使用方法を示す平面図である。
【考案を実施するための形態】
【０００９】
本考案の一実施形態に係る箱について、図を参照しながら以下に説明する。
本考案の箱は、図１および図２に示すように、箱本体１０と、箱本体１０内に配置された複数の仕切り部材２０とを備える。仕切り部材２０は、図３および図４に示すように、厚さ方向の両側を形成する一対のシート部材２０ａと、一対のシート部材２０ａの間に配置されたコア部材２０ｂとを有する段ボールから成る。
【００１０】
コア部材２０ｂは一例では波形状を有するシート部材であり、波形状の頂部２０ｃは仕切り部材２０の長手方向に延びている。以下の説明では、仕切り部材２０の長手方向を単に長手方向（図３）と称する場合がある。また、仕切り部材２０において長手方向と直交する方向を仕切り部材２０の幅方向と称する。以下の説明では、仕切り部材２０の幅方向を単に幅方向（図３）と称する場合がある。
【００１１】
コア部材２０ｂは一対のシート部材２０ａにそれぞれ接着剤等によって接着されている。また、コア部材２０ｂは、一対のシート部材２０ａの互いの間隔を維持するための間隔維持部材であるとも言える。
なお、コア部材２０ｂの仕様は様々であり得る。つまり、コア部材２０ｂには、公知の様々な段ボールのコア部材の仕様を採用し得る。一方、仕切り部材２０がプラスチックから成る場合もある。この場合も、仕切り部材２０は、一対のシート部材２０ａと、一対のシート部材２０ａの間に配置された少なくとも１層のコア部材２０ｂとを有する。
【００１２】
なお、箱本体１０は、厚紙、プラスチックシート、段ボール等から成り、概して直方体形状又は立方体形状を有する。一例では、箱本体１０は、１つの底壁１０ａと、４つの側壁１０ｂと、１つの天壁１０ｃとを有する。本実施形態では、天壁１０ｃは複数に分割され、天壁１０ｃは開閉可能な構造を有する。
【００１３】
各仕切り部材２０は概して長方形の段ボールを折り曲げて形成されている。図５〜７に示すように、各仕切り部材２０は、その長手方向の両側に、当該仕切り部材をその厚さ方向の一方に屈曲させるために形成された第１の折り曲げ部２１を有する。第１の折り曲げ部２１には、長手方向と直交する方向に延びる折り曲げ用の凹部２１ａが形成されている。凹部２１ａは一対のシート部材２０ａのうち一方をコア部材２０ｂ側に窪ませることによって形成される。つまり、凹部２１ａが形成された箇所では、コア部材２０ｂが凹部２１ａに応じて、仕切り部材２０の厚さ方向に潰れている。
【００１４】
各仕切り部材２０は仕切り部材２０をその厚さ方向の他方に屈曲させるために形成された第２の折り曲げ部２２を有し、第２の折り曲げ部２２は第１の折り曲げ部２１よりも仕切り部材２０の長手方向の端部２０ｄに近い位置に配置されている。つまり、第２の折り曲げ部２２は第１の折り曲げ部２１よりも仕切り部材２０の長手方向の外側に配置されている。図３〜図６等に示すように、第２の折り曲げ部２２では、一対のシート部材２０ａの一方およびコア部材２０ｂが切断されている。
【００１５】
仕切り部材２０において第２の折り曲げ部２２よりも長手方向の外側に仕切り部材２２の長手方向の端部２０ｄがある。なお、図８に示すように、第２の折り曲げ部２２よりも長手方向の外側に第３の折り曲げ部２４が存在している場合もある。この場合、第３の折り曲げ部にも仕切り部材２０の長手方向の端部２０ｅがあらわれる。
【００１６】
図１および図２のように複数の仕切り部材２０を積み重ねた時に、最も下の仕切り部材２０の折り曲げられた第２の折り曲げ部２２又は第２の折り曲げ部２２よりも長手方向の外側に存在する前記長手方向の端部の上に、下から２番目の仕切り部材２０の折り曲げられた第２の折り曲げ部２２又は第２の折り曲げ部２２よりも長手方向の外側に存在する前記長手方向の端部を容易且つ確実に載置できる。
【００１７】
同様に、下から２番目の仕切り部材２０の折り曲げられた第２の折り曲げ部２２又は第２の折り曲げ部２２よりも長手方向の外側に存在する前記長手方向の端部の上に、下から３番目の仕切り部材２０の折り曲げられた第２の折り曲げ部２２又は第２の折り曲げ部２２よりも長手方向の外側に存在する前記長手方向の端部を容易且つ確実に載置できる。
【００１８】
ここで、第１の折り曲げ部２１は、長手方向と直交する方向に延びる折り曲げ用の凹部２１ａが形成されているだけである。このため、図６に示すように、第１の折り曲げ部２１ａは、矢印に示すように、折り曲げに抗する方向の力を発生させる。当該構成は箱本体１０の中で第２の折り曲げ部２２を側壁１０ｂに向かって押付ける力を発生させ、これは箱本体１０の中で複数の仕切り部材２０を容易且つ確実に積み重ねるために極めて有用である。
【００１９】
なお、一対のシート部材２０ａの一方だけを切断することによって第１の折り曲げ部２１を形成することも可能である。この場合、第１の折り曲げ部２１を折り曲げることによってコア部材２０ｂが適宜破れ、折り曲げられた第１の折り曲げ部２１ａは図６の矢印の方向の力を発生させる。また、一対のシート部材２０ａの一方およびコア部材２０ｂを切断した後に、他方のシート部材２０ａをテープ等で補強することによって、第１の折り曲げ部２１を形成することも可能である。この場合でも、折り曲げられた第１の折り曲げ部２１ａは図６の矢印の方向の力を発生させる。その他の方法で第１の折り曲げ部２１を形成することも可能である。
【００２０】
仕切り部材２０における２つの第１の折り曲げ部２１の間は品物が固定される平板部２３である。品物は製品、部品、付属品等であり得る。図１および図２に示すように、複数の仕切り部材２０は平板部２３の延設方向に直交する方向に並ぶように箱本体１０の中に挿入される。一例では、図１および図２に示すように、複数の仕切り部材２０は上下方向に一列に並ぶように箱本体１０の中に挿入される。
【００２１】
なお、本実施形態では、図７に示すように第１の折り曲げ部２１および第２の折り曲げ部２２を折り曲げない状態で、仕切り部材２０の長手方向において、第１の折り曲げ部２１と第２の折り曲げ部２２との距離よりも第２の折り曲げ部２２と端部２０ｄ，２０ｅとの距離の方が長い。このため、何れの方向で仕切り部材２０が箱本体１０に挿入されても、仕切り部材２０の平板部２３が底壁１０ａから離れた位置に配置される。当該構成は、平板部２３に固定する品物の破損、傷の発生等を防止するために有利である。
【００２２】
また、本実施形態では、図１に示すように、最も下の仕切り部材２０に照明装置用の電力供給装置１００が固定され、下から２番目の仕切り部材２０に電力供給装置１００の付属品２００が固定され、下から３番目の仕切り部材２０に電力供給装置１００用のコード３００が固定されている。このように、本実施形態の構成は、ある製品に属する一群の品物を１つの箱本体１０に容易且つ確実に収納することを可能とする。
【００２３】
平板部２３における幅方向の両端には、幅方向に窪んでいる凹部２５が形成されている。本実施形態では、長手方向において、凹部２５が設けられた範囲Ｌ２は平板部２３の長手方向の寸法Ｌ１の５０％以上である（図４）。
また、各凹部２５にはＶ字形状の複数の切欠き２６が設けられている。各切欠き２６はＵ字形状、略Ｕ字形状、又は略Ｖ字形状であってもよい。
【００２４】
このため、図１および図２のように、固定用フィルムとして例えば厚さが０．１ｍｍ以下のプラスチックフィルムＦを用いて品物を平板部２３に固定した時に、プラスチックフィルムＦが仕切り部材２０の長手方向に移動し難くなる。これは、品物を容易且つ確実に仕切り部材２０に固定するために有利である。また、凹部２５が設けられているので、仕切り部材２０を箱本体１０に出し入れし易い。なお、プラスチックフィルムＦの厚さは０．０３ｍｍ以下であることが多く、０．０１５ｍｍ以下であることが更に多い。なお、固定用フィルム以外の部材によって品物が平板部２３に固定されてもよい。
なお、各凹部２５に複数の切欠き２６があると、プラスチックフィルムＦの移動がより効果的に防止されるが、各凹部２５に単一の切欠き２６を形成する場合もある。
【００２５】
なお、平板部２３において複数の切欠き２６の少なくとも１つに対応した位置にスリット２７が設けられている。本実施形態では、スリット２７は平板部２３を所定の長さだけ幅方向に切断することによって形成される。図９に示すように、スリット２７は、品物を平板部２３に固定する際にプラスチックフィルムＦの端部を挟持できる。これは、プラスチックフィルムＦを平板部２３および品物に巻付ける作業の効率を向上する。
【００２６】
また、本実施形態では、図１および図２に示すように、３以上の仕切り部材２０が一列に並ぶように積み重ねられている。当該構成は、箱本体１の中に効率よく且つ確実に複数の品物を収容するために極めて有利である。
【００２７】
また、本実施形態では、図１等に示すように、仕切り部材２０が箱本体１０内に挿入された状態で、平板部２３と第２の折り曲げ部２２との距離は、平板部２３と端部２０ｄとの距離よりも大きい。当該構成は、箱本体１内で複数の仕切り部材２０を前述のように互いに確実に重ねるために有利である。
【符号の説明】
【００２８】
１０…箱本体、１０ｂ…側壁、２０…仕切り部材、２０ａ…シート部材、２０ｂ…コア部材、２０ｄ，２０ｅ…端部、２１…第１の折り曲げ部、２１ａ…凹部、２２…第２の折り曲げ部、２３…平板部、２５…凹部、２６…切欠き、２７…スリット、１００…電力供給装置、２００…付属品、３００…コード、Ｆ…プラスチックフィルム
【図１】
0003226135.tif 000003
【図２】
0003226135.tif 000004
【図３】
0003226135.tif 000005
【図４】
0003226135.tif 000006
【図５】
0003226135.tif 000007
【図６】
0003226135.tif 000008
【図７】
0003226135.tif 000009
【図８】
0003226135.tif 000010
【図９】
0003226135.tif 000011